(57)【要約】  分散電源を有する分散電源システムは、前記分散電源を制御する電力管理サーバから第１メッセージを受信し、前記分散電源を監視する設備管理サーバから第２メッセージを受信する通信部と、前記第１メッセージ及び前記第２メッセージに基づいて前記分散電源を制御する制御部とを備える。前記制御部は、前記第１メッセージ及び前記第２メッセージが競合した場合に、前記第１メッセージよりも優先して、前記第２メッセージに基づいて前記分散電源を制御する。
2020022210.tif 000002
【特許請求の範囲】
【請求項１】
分散電源を有する分散電源システムであって、
前記分散電源を制御する電力管理サーバから第１メッセージを受信し、前記分散電源を監視する設備管理サーバから第２メッセージを受信する通信部と、
前記第１メッセージ及び前記第２メッセージに基づいて前記分散電源を制御する制御部とを備え、
前記制御部は、前記第１メッセージ及び前記第２メッセージが競合した場合に、前記第１メッセージよりも優先して、前記第２メッセージに基づいて前記分散電源を制御する、分散電源システム。
【請求項２】
前記第１メッセージの通信プロトコルは、前記第２メッセージの通信プロトコルと同じであり、
前記第１メッセージは、前記電力管理サーバから送信されるメッセージであることを識別可能に構成されており、或いは、前記第２メッセージは、前記設備管理サーバから送信されるメッセージであることを識別可能に構成されている、請求項１に記載の分散電源システム。
【請求項３】
前記第１メッセージ及び前記第２メッセージは、優先順位を示す情報要素を含み、
前記制御部は、前記通信部によって受信されるメッセージが前記電力管理サーバ及び前記設備管理サーバのいずれから送信されたのかを前記優先順位に基づいて判定する、請求項２に記載の分散電源システム。
【請求項４】
前記制御部は、前記分散電源の停止を指示する前記第２メッセージを受信した後において、前記分散電源の起動が行われるまで前記第１メッセージの受け付けを拒否する、請求項１乃至請求項３のいずれかに記載の分散電源システム。
【請求項５】
前記通信部は、前記第１メッセージの受け付けが拒否された場合に、前記第１メッセージに基づいた制御が行われない旨を示すメッセージを前記電力管理サーバに送信する、請求項４に記載の分散電源システム。
【請求項６】
前記通信部は、前記電力管理サーバ及び前記設備管理サーバに接続された所定サーバを経由して、前記第１メッセージ及び前記第２メッセージを受信する、請求項１乃至請求項５のいずれかに記載の分散電源システム。
【請求項７】
前記分散電源は、燃料電池システムである、請求項１乃至請求項６のいずれかに記載の分散電源システム。
【請求項８】
前記第１メッセージは、電力需給バランスを維持するために、前記分散電源の出力増大又は出力減少を指示するメッセージを含む、請求項１乃至請求項７のいずれかに記載の分散電源システム。
【請求項９】
前記第１メッセージは、電力需給バランスを維持するために、前記分散電源の運転停止又は運転開始を指示するメッセージを含む、請求項１乃至請求項７のいずれかに記載の分散電源システム。
【請求項１０】
前記第１メッセージは、電力需給バランスを維持するために、前記分散電源の運転停止を開始する時刻又は運転を開始する時刻を指示するメッセージを含む、請求項１乃至請求項７のいずれかに記載の分散電源システム。
【請求項１１】
前記第１メッセージは、電力需給バランスの維持を必要とする時間又は期間を指示するメッセージを含む、請求項１乃至請求項７のいずれかに記載の分散電源システム。
【請求項１２】
前記第１メッセージは、電力需給バランスの維持の終了を通知するメッセージを含む、請求項１乃至請求項７のいずれかに記載の分散電源システム。
【請求項１３】
前記第２メッセージは、前記分散電源のメンテナンスを開始するために、前記分散電源の運転停止を指示するメッセージを含む、請求項１乃至請求項１２のいずれかに記載の分散電源システム。
【請求項１４】
前記第２メッセージは、前記分散電源のメンテナンスを開始するために、前記分散電源の運転停止を開始する時刻を指示するメッセージを含む、請求項１乃至請求項１２のいずれかに記載の分散電源システム。
【請求項１５】
前記第２メッセージは、前記分散電源のメンテナンスに要する時間又は期間を指示するメッセージを含む、請求項１乃至請求項１２のいずれかに記載の分散電源システム。
【請求項１６】
前記第２メッセージは、前記分散電源のメンテナンスの終了を通知するメッセージを含む、請求項１乃至請求項１２のいずれかに記載の分散電源システム。
【請求項１７】
前記第２メッセージは、前記分散電源のメンテナンスの終了に伴って前記分散電源の運転再開を指示するメッセージを含む、請求項１乃至請求項１２のいずれかに記載の分散電源システム。
【請求項１８】
前記第２メッセージは、前記分散電源のメンテナンスの終了に伴って通常モードへの復帰を促すメッセージを含む、請求項１乃至請求項１２のいずれかに記載の分散電源システム。
【請求項１９】
分散電源を制御する電力管理サーバから第１メッセージを受信し、前記分散電源を監視する設備管理サーバから第２メッセージを受信する通信部と、
前記第１メッセージ及び前記第２メッセージに基づいて前記分散電源を制御する制御部と、を備え、
前記制御部は、前記第１メッセージ及び前記第２メッセージが競合した場合に、前記第１メッセージよりも優先して、前記第２メッセージに基づいて前記分散電源を制御する、制御装置。
【請求項２０】
分散電源を制御する電力管理サーバから第１メッセージを受信することと、
前記分散電源を監視する設備管理サーバから第２メッセージを受信することと、
前記第１メッセージ及び前記第２メッセージに基づいて前記分散電源を制御することと、を含み、
前記分散電源を制御することは、前記第１メッセージ及び前記第２メッセージが競合した場合に、前記第１メッセージよりも優先して、前記第２メッセージに基づいて前記分散電源を制御することを含む、分散電源制御方法。
【発明の詳細な説明】
【技術分野】
【０００１】
本発明は、分散電源システム、制御装置、及び分散電源制御方法に関する。
【背景技術】
【０００２】
近年、電力系統の電力需給バランスを維持するために、蓄電装置を分散電源として用いる技術（例えば、ＶＰＰ（Ｖｉｒｔｕａｌ  Ｐｏｗｅｒ  Ｐｌａｎｔ）が知られている（例えば、特許文献１）。さらには、ＶＰＰなどで用いる分散電源として、燃料電池システムを用いることも考えられる。
【先行技術文献】
【特許文献】
【０００３】
【特許文献１】特開２００５−１８２３９９号公報
【発明の概要】
【０００４】
第１の特徴に係る分散電源システムは、分散電源を有する。前記分散電源システムは、前記分散電源を制御する電力管理サーバから第１メッセージを受信し、前記分散電源を監視する設備管理サーバから第２メッセージを受信する通信部と、前記第１メッセージ及び前記第２メッセージに基づいて前記分散電源を制御する制御部とを備える。前記制御部は、前記第１メッセージ及び前記第２メッセージが競合した場合に、前記第１メッセージよりも優先して、前記第２メッセージに基づいて前記分散電源を制御する。
【０００５】
第２の特徴に係る制御装置は、分散電源を制御する電力管理サーバから第１メッセージを受信し、前記分散電源を監視する設備管理サーバから第２メッセージを受信する通信部と、前記第１メッセージ及び前記第２メッセージに基づいて前記分散電源を制御する制御部と、を備える。前記制御部は、前記第１メッセージ及び前記第２メッセージが競合した場合に、前記第１メッセージよりも優先して、前記第２メッセージに基づいて前記分散電源を制御する。
【０００６】
第３の特徴に係る分散電源制御方法は、分散電源を制御する電力管理サーバから第１メッセージを受信することと、前記分散電源を監視する設備管理サーバから第２メッセージを受信することと、前記第１メッセージ及び前記第２メッセージに基づいて前記分散電源を制御することとを含む。前記分散電源を制御することは、前記第１メッセージ及び前記第２メッセージが競合した場合に、前記第１メッセージよりも優先して、前記第２メッセージに基づいて前記分散電源を制御することを含む。
【図面の簡単な説明】
【０００７】
【図１】図１は、実施形態に係る電力システム１００を示す図である。
【図２】図２は、実施形態に係る電力管理サーバ２００を示す図である。
【図３】図３は、実施形態に係る設備管理サーバ４００を示す図である。
【図４】図４は、実施形態に係る分散電源システム６００を示す図である。
【図５】図５は、実施形態に係る第１メッセージの一例を示す図である。
【図６】図６は、実施形態に係る第１メッセージの一例を示す図である。
【図７】図７は、実施形態に係る分散電源制御方法を示す図である。
【図８】図８は、実施形態に係る分散電源制御方法を示す図である。
【発明を実施するための形態】
【０００８】
電力系統の電力需給バランスを維持するために分散電源を制御する電力管理サーバ及び分散電源のメンテナンスを行うために分散電源を監視する設備管理サーバが互いに異なるエンティティに属するケースが想定される。
【０００９】
発明者等は、鋭意検討の結果、このようなケースにおいて、設備管理サーバから送信されるメッセージ及び電力管理サーバから送信されるメッセージが競合すると、このようなメッセージの競合によって分散電源を適切に制御できない可能性があることを見出した。
【００１０】
そこで、本開示は、上述した課題を解決するためになされたものであり、分散電源を適切に制御することを可能とする。
【００１１】
実施形態に係る分散電源システムは、分散電源を有する。前記分散電源システムは、前記分散電源を制御する電力管理サーバから第１メッセージを受信し、前記分散電源を監視する設備管理サーバから第２メッセージを受信する通信部と、前記第１メッセージ及び前記第２メッセージに基づいて前記分散電源を制御する制御部とを備える。前記制御部は、前記第１メッセージ及び前記第２メッセージが競合した場合に、前記第１メッセージよりも優先して、前記第２メッセージに基づいて前記分散電源を制御する。
【００１２】
以下において、実施形態について図面を参照しながら説明する。なお、以下の図面の記載において、同一又は類似の部分には、同一又は類似の符号を付している。
【００１３】
但し、図面は模式的なものであり、各寸法の比率などは現実のものとは異なる場合があることに留意すべきである。従って、具体的な寸法などは以下の説明を参酌して判断すべきである。また、図面相互間においても互いの寸法の関係又は比率が異なる部分が含まれている場合があることは勿論である。
【００１４】
［実施形態］
（電力システム）
以下において、実施形態に係る電力システムについて説明する。
【００１５】
図１に示すように、電力システム１００は、電力管理サーバ２００と、施設３００と、設備管理サーバ４００と、所定サーバ５００とを有する。図１では、施設３００として、施設３００Ａ〜施設３００Ｃが例示されている。
【００１６】
各施設３００は、電力系統１１０に接続される。以下において、電力系統１１０から施設３００への電力の流れを潮流と称し、施設３００から電力系統１１０への電力の流れを逆潮流と称する。
【００１７】
電力管理サーバ２００は、分散電源（例えば、後述する分散電源３１０）を制御するサーバである。電力管理サーバ２００は、施設３００に設けられるＥＭＳ３３０に対して、施設３００に設けられる分散電源３１０に対する制御を指示する第１メッセージを送信する。例えば、電力管理サーバ２００は、潮流の制御を要求する潮流制御メッセージ（例えば、ＤＲ；Ｄｅｍａｎｄ  Ｒｅｓｐｏｎｓｅ）を送信してもよく、逆潮流の制御を要求する逆潮流制御メッセージを送信してもよい。さらに、電力管理サーバ２００は、分散電源の動作状態を制御する電源制御メッセージを送信してもよい。潮流又は逆潮流の制御度合いは、絶対値（例えば、○○ｋＷ）で表されてもよく、相対値（例えば、○○％）で表されてもよい。或いは、潮流又は逆潮流の制御度合いは、２以上のレベルで表されてもよい。潮流又は逆潮流の制御度合いは、現在の電力需給バランスによって定められる電力料金（ＲＴＰ；Ｒｅａｌ  Ｔｉｍｅ  Ｐｒｉｃｉｎｇ）によって表されてもよく、過去の電力需給バランスによって定められる電力料金（ＴＯＵ；Ｔｉｍｅ  Ｏｆ  Ｕｓｅ）によって表されてもよい。
【００１８】
例えば、電力管理サーバ２００は、発電事業者、送配電事業者、小売事業者などの電力事業者によって管理される。第１メッセージは、これらの電力事業者が電力系統１１０の電力需給バランスを調整するためのメッセージである。
【００１９】
施設３００は、分散電源３１０、負荷機器３２０及びＥＭＳ３３０を有する。
【００２０】
分散電源３１０は、燃料を用いて発電を行う燃料電池装置であってもよい。燃料電池装置は、燃料を用いて発電を行う装置である。例えば、燃料電池装置は、固体酸化物型燃料電池（ＳＯＦＣ：Ｓｏｌｉｄ  Ｏｘｉｄｅ  Ｆｕｅｌ  Ｃｅｌｌ）、固体高分子型燃料電池（ＰＥＦＣ：Ｐｏｌｙｍｅｒ  Ｅｌｅｃｔｒｏｌｙｔｅ  Ｆｕｅｌ  Ｃｅｌｌ）、リン酸型燃料電池（ＰＡＦＣ：Ｐｈｏｓｐｈｏｒｉｃ  Ａｃｉｄ  Ｆｕｅｌ  Ｃｅｌｌ）、及び溶融炭酸塩型燃料電池（ＭＣＦＣ：Ｍｏｌｔｅｎ  Ｃａｒｂｏｎａｔｅ  Ｆｕｅｌ  Ｃｅｌｌ）のうち少なくとも１つであってもよい。分散電源３１０は、太陽光、風力、水力、及び地熱などのうち少なくとも１つの自然エネルギーを用いて発電を行う装置であってもよい。分散電源３１０は、電力の充電及び電力の放電を行う蓄電装置であってもよい。
【００２１】
負荷機器３２０は、電力を消費する機器である。例えば、負荷機器３２０は、空調機器、照明機器、及びＡＶ（Ａｕｄｉｏ  Ｖｉｓｕａｌ）機器などのうち少なくとも１つである。
【００２２】
ＥＭＳ３３０は、施設３００の電力を管理する装置（ＥＭＳ；Ｅｎｅｒｇｙ  Ｍａｎａｇｅｍｅｎｔ  Ｓｙｓｔｅｍ）である。ＥＭＳ３３０は、制御装置に相当する。ＥＭＳ３３０は、分散電源３１０及び負荷機器３２０の動作状態を制御してもよい。ＥＭＳ３３０は、ＶＥＮ（Ｖｉｒｔｕａｌ  Ｅｎｄ  Ｎｏｄｅ）の一例である。
【００２３】
設備管理サーバ４００は、分散電源（例えば、上述した分散電源３１０）を監視するサーバである。設備管理サーバ４００は、施設３００に設けられるＥＭＳ３３０に対して、施設３００に設けられる分散電源３１０のメンテナンスを行うための第２メッセージを送信する。例えば、メンテナンスは、設備の劣化状態を調査する点検、点検時に軽微な手入れを行う保守、設備の不具合を処置する修繕、及び既存の設備を新しい設備に交換する取替等を含む。なお、メンテナンスは、分散電源３１０が停止している間に行われてもよいし、分散電源３１０が運転している間に行われてもよい。
【００２４】
例えば、設備管理サーバ４００は、分散電源３１０の製造業者、販売業者、及びメンテナンス業者などの設備業者によって管理される。
【００２５】
所定サーバ５００は、第１メッセージ及び第２メッセージを中継するサーバである。所定サーバ５００は、電力管理サーバ２００によって管理される施設３００を対象とする第１メッセージに基づいて、所定サーバ５００によって管理される施設３００を対象とする第１メッセージを送信してもよい。所定サーバ５００は、第２メッセージを透過的に中継してもよい。
【００２６】
例えば、所定サーバ５００は、リソースアグリゲータによって管理される。リソースアグリゲータは、ＶＰＰ（Ｖｉｒｔｕａｌ  Ｐｏｗｅｒ  Ｐｌａｎｔ）において、発電事業者、送配電事業者及び小売事業者などに逆潮流の電力を提供する電力事業者である。リソースアグリゲータは、リソースアグリゲータによって管理される施設の消費電力の削減によって余剰電力（ネガワット）を生み出す電力事業者であってもよい。このような余剰電力は発電電力と見做されてもよい。リソースアグリゲータは、リソースアグリゲータによって管理される施設の消費電力の増大（例えば、蓄電池装置の充電量の増大）によって過剰な電力を吸収する電力事業者であってもよい。
【００２７】
実施形態において、電力管理サーバ２００と所定サーバ５００との間の通信、設備管理サーバ４００と所定サーバ５００との間の通信、及び所定サーバ５００とＥＭＳ３３０との間の通信は、第１プロトコルに従って行われてもよい。一方で、ＥＭＳ３３０と分散電源３１０との間の通信及びＥＭＳ３３０と負荷機器３２０との間の通信は、第１プロトコルとは異なる第２プロトコルに従って行われてもよい。例えば、第１プロトコルとしては、Ｏｐｅｎ  ＡＤＲ（Ａｕｔｏｍａｔｅｄ  Ｄｅｍａｎｄ  Ｒｅｓｐｏｎｓｅ）２．０に準拠するプロトコル、或いは、独自の専用プロトコルを用いることができる。例えば、第２プロトコルは、ＥＣＨＯＮＥＴ  Ｌｉｔｅに準拠するプロトコル、ＳＥＰ（Ｓｍａｒｔ  Ｅｎｅｒｇｙ  Ｐｒｏｆｉｌｅ）２．０、ＫＮＸ、或いは、独自の専用プロトコルを用いることができる。なお、第１プロトコルと第２プロトコルは異なっていればよく、例えば、両方が独自の専用プロトコルであっても異なる規則で作られたプロトコルであればよい。
【００２８】
（電力管理サーバ）
以下において、実施形態に係る電力管理サーバについて説明する。図２に示すように、電力管理サーバ２００は、データベース２１０と、通信部２２０と、制御部２３０とを有する。電力管理サーバ２００は、ＶＴＮ（Ｖｉｒｔｕａｌ  Ｔｏｐ  Ｎｏｄｅ）の一例である。
【００２９】
データベース２１０は、不揮発性メモリ又は／及びＨＤＤ（Ｈａｒｄ  Ｄｉｓｋ  Ｄｒｉｖｅ）などの記憶媒体によって構成されており、電力管理サーバ２００によって管理される施設３００に関するデータを記憶する。電力管理サーバ２００によって管理される施設３００は、電力事業者と契約を有する施設３００であってもよい。例えば、施設３００に関するデータは、電力系統１１０から施設３００に供給される需要電力であってもよい。施設３００に関するデータは、施設３００に設けられる分散電源３１０の種別、及び施設３００に設けられる分散電源３１０のスペックなどのうち少なくとも１つであってもよい。スペックは、分散電源３１０の定格発電電力（Ｗ）及び最大出力電力（Ｗ）などであってもよい。
【００３０】
通信部２２０は、通信モジュールによって構成されており、所定サーバ５００を介してＥＭＳ３３０と通信を行う。通信部２２０は、上述したように、第１プロトコルに従って通信を行う。
【００３１】
制御部２３０は、メモリ及びＣＰＵ（Ｃｅｎｔｒａｌ  Ｐｒｏｃｅｓｓｉｎｇ  Ｕｎｉｔ）などを含む制御回路によって構成されており、電力管理サーバ２００に設けられる各構成を制御する。例えば、制御部２３０は、電力系統１１０の電力需給バランスの観点から第１メッセージの送信を決定する。第１メッセージは、下記の（ａ１）乃至（ａ７）のメッセージのいずれか、又はこれらのメッセージのうち２以上のメッセージを組み合わせたメッセージであってもよい。
【００３２】
（ａ１）電力需給バランスを維持するために分散電源３１０の出力増大又は出力減少を指示するメッセージ
（ａ２）電力需給バランスを維持するために分散電源３１０の運転停止又は運転開始を指示するメッセージ
（ａ３）電力需給バランスを維持するために分散電源３１０の運転停止を開始する時刻又は運転を開始する時刻を指示するメッセージ
（ａ４）電力需給バランスの維持を必要とする時間又は期間を指示するメッセージ
（ａ５）電力需給バランスの維持の終了を通知するメッセージ
（ａ６）電力需給バランスの維持の終了に伴って分散電源３１０の運転再開を指示するメッセージ
（ａ７）電力需給バランスの維持の終了に伴って通常モードへの復帰を促すメッセージ
【００３３】
上述したように、第１メッセージは、潮流制御メッセージ、逆潮流制御メッセージ、及び電源制御メッセージのうち少なくとも１つであってもよい。
【００３４】
（設備管理サーバ）
以下において、実施形態に係る設備管理サーバについて説明する。図３に示すように、設備管理サーバ４００は、データベース４１０と、通信部４２０と、制御部４３０とを有する。
【００３５】
データベース４１０は、不揮発性メモリ又は／及びＨＤＤなどの記憶媒体によって構成されており、複数の施設３００に関する情報を管理する。
【００３６】
データベース４１０は、複数の施設３００のそれぞれに設けられる設備の基本情報を記憶してもよい。データベース４１０は、例えば、施設名、施設ＩＤ、設備名、設備ＩＤ、導入年、経年及び耐用年数を対応付けて記憶する。施設名は、設備が設置される施設３００の名称である。施設ＩＤは、施設３００を識別する識別子である。設備名は、設備の名称である。設備ＩＤは、設備を識別する識別子である。導入年は、設備が導入された年である。経年は、設備が導入されてから経過した年である。耐用年数は、設備のメーカ等によって定められており、設備を導入してから設備を適切に使用可能な期間を示す情報である。
【００３７】
データベース４１０は、複数の施設３００のそれぞれについて、複数の施設３００のそれぞれに設けられる設備のメンテナンス情報を記憶してもよい。データベース４１０は、例えば、施設名、設備名、メンテナンス日、メンテナンス概要及びメンテナンス詳細を対応付けて記憶する。データベース４１０は、これらの情報とともに、施設ＩＤ及び設備ＩＤを対応付けて記憶してもよい。施設名及び設備名は、上述した通りである。メンテナンス日は、メンテナンスが行われた日付である。メンテナンス概要は、メンテナンスの概要を示す情報であり、メンテナンス詳細は、メンテナンスの詳細を示す情報である。実施形態に係るメンテナンス情報は、少なくとも、将来において設備のメンテナンスを行うメンテナンス期間（予定）を含んでいればよい。メンテナンス情報は、過去において設備のメンテナンスを行ったメンテナンス期間を含んでいてもよい。
【００３８】
通信部４２０は、通信モジュールによって構成されており、所定サーバ５００を介してＥＭＳ３３０と通信を行う。通信部４２０は、上述したように、第１プロトコルに従って通信を行う。
【００３９】
制御部４３０は、メモリ及びＣＰＵなどを含む制御回路によって構成されており、設備管理サーバ４００に設けられる各構成を制御する。例えば、制御部４３０は、分散電源３１０のメンテナンスの観点から第２メッセージの送信を決定する。第２メッセージは、下記の（ｂ１）乃至（ｂ６）のメッセージのいずれか、又はこれらのメッセージのうち２以上のメッセージを組み合わせたメッセージであってもよい。
【００４０】
（ｂ１）メンテナンスを開始するために分散電源３１０の運転停止を指示するメッセージ
（ｂ２）メンテナンスを開始するために分散電源３１０の運転停止を開始する時刻を指示するメッセージ
（ｂ３）分散電源３１０のメンテナンスに要する時間又は期間を指示するメッセージ
（ｂ４）分散電源３１０のメンテナンスの終了を通知するメッセージ
（ｂ５）分散電源３１０のメンテナンスの終了に伴って分散電源３１０の運転再開を指示するメッセージ
（ｂ６）分散電源３１０のメンテナンスの終了に伴って通常モードへの復帰を促すメッセージ
【００４１】
（分散電源システム）
以下において、実施形態に係る分散電源システムについて説明する。図４に示すように、分散電源システム６００は、通信部６１０と、制御部６２０とを有する。分散電源システム６００は、分散電源３１０を含むシステムであればよい。例えば、分散電源システム６００は、分散電源３１０及びＥＭＳ３３０によって構成される。分散電源システム６００は、ＥＭＳ３３０を含まずに分散電源３１０によって構成されてもよい。
【００４２】
通信部６１０は、通信モジュールによって構成されており、所定サーバ５００を介して電力管理サーバ２００及び設備管理サーバ４００と通信を行う。すなわち、通信部６１０は、電力管理サーバ２００から第１メッセージを受信し、設備管理サーバ４００から第２メッセージを受信する。
【００４３】
制御部６２０は、メモリ及びＣＰＵなどを含む制御回路によって構成されており、分散電源システム６００に設けられる各構成を制御する。例えば、制御部６２０は、第１メッセージ及び第２メッセージに基づいて分散電源３１０を制御する。
【００４４】
実施形態において、制御部６２０は、第１メッセージ及び第２メッセージが競合した場合に、第１メッセージよりも優先して、第２メッセージに基づいて分散電源３１０を制御する。第１メッセージ及び第２メッセージの競合とは、第１メッセージに基づいて分散電源３１０が制御されている時間帯を対象として、第２メッセージに基づいて分散電源３１０を制御するケースが考えられる。例えば、第１メッセージに基づいて分散電源３１０の出力増大又は出力減少が指示されている時間帯において、第２メッセージに基づいて分散電源３１０の停止が指示されるケースが考えられる。或いは、第２メッセージに基づいて分散電源３１０が制御されている時間帯を対象として、第１メッセージに基づいて分散電源３１０を制御するケースが考えられる。例えば、第２メッセージに基づいて分散電源３１０の停止が指示されている時間帯において、第１メッセージに基づいて分散電源３１０の出力増大又は出力減少が指示されるケースが考えられる。つまり、第１メッセージ及び第２メッセージの競合とは、第１メッセージに基づいて実行される制御と第２メッセージに基づいて実行される制御とが同時に実現し得ない、または両者の制御を同時に実現することで不具合が生じ得る状況を含む。
【００４５】
ここで、第１メッセージの通信プロトコルが第２メッセージの通信プロトコルと同じであるケースについて考える。実施形態では、所定サーバ５００から分散電源システム６００に第１メッセージ及び第２メッセージが送信されるため、第１メッセージ及び第２メッセージの通信プロトコルが同じである場合に、制御部６２０が第１メッセージ及び第２メッセージを区別できない可能性が考えられる。従って、実施形態においては、第１メッセージは、電力管理サーバ２００から送信されるメッセージであることを識別可能に構成されており、或いは、第２メッセージは、設備管理サーバ４００から送信されるメッセージであることを識別可能に構成されている。
【００４６】
例えば、第１メッセージ及び第２メッセージの通信プロトコルがＯｐｅｎ  ＡＤＲ２．０に準拠するケースについて考える。
【００４７】
第１に、図５及び図６に示すように、第１メッセージ及び第２メッセージは、優先順位を示す情報要素（ここでは、＜ｎｓ２：ｐｒｉｏｒｉｔｙ＞）を含む。制御部６２０は、通信部６１０によって受信されるメッセージが電力管理サーバ２００及び設備管理サーバ４００のいずれから送信されたのかを優先順に基づいて判定する。具体的には、図５に示すように、第１メッセージの優先順位は“１００”であり、図６に示すように、第２メッセージの優先順位は“１”である。このようなケースにおいて、“１”という所定値は、第２メッセージに専用で用いられる優先順位として定められていてもよい。すなわち、“１”という所定値以外の優先順位については、第１メッセージの優先順位に基づいて設定されてもよい。
【００４８】
第２に、図５及び図６に示すように、第１メッセージ及び第２メッセージは、分散電源３１０に対する制御の識別に用いることが可能な情報要素（ここでは、＜ｎｓ４：ｍａｒｋｅｔＣｏｎｔｅｘｔ＞）を含んでもよい。制御部６２０は、通信部６１０によって受信されるメッセージが電力管理サーバ２００及び設備管理サーバ４００のいずれから送信されたのかをｍａｒｋｅｔＣｏｎｔｅｘｔ優先順に基づいて判定する。具体的には、図５に示すように、第１メッセージのｍａｒｋｅｔＣｏｎｔｅｘｔは“ＤＲ”であり、図６に示すように、第２メッセージのｍａｒｋｅｔＣｏｎｔｅｘｔは“Ｍａｉｎｔｅｎａｎｃｅ”である。このようなケースにおいて、“Ｍａｉｎｔｅｎａｎｃｅ”という所定値は、新たに定義される値であることに留意すべきである。
【００４９】
さらに、制御部６２０は、分散電源３１０の停止を指示する第２メッセージを受信した後において、分散電源３１０の起動が行われるまで第１メッセージの受け付けを拒否してもよい。このようなケースにおいて、通信部６１０は、第１メッセージの受け付けが拒否された場合に、第１メッセージに基づいた制御が行われない旨を示す通知メッセージを電力管理サーバ２００に送信してもよい。
【００５０】
（分散電源制御方法）
以下において、実施形態に係る分散電源制御方法について説明する。図７及び図８では、所定サーバ５００が省略されている。
【００５１】
第１に、第１メッセージに基づいて分散電源３１０が制御されている時間帯を対象として、第２メッセージに基づいて分散電源３１０を制御するケースについて考える。
【００５２】
ステップＳ１０において、電力管理サーバ２００は、第１メッセージを分散電源システム６００に送信する。
【００５３】
ステップＳ１１において、設備管理サーバ４００は、第２メッセージを分散電源システム６００に送信する。
【００５４】
ステップＳ１２において、分散電源システム６００は、第１メッセージ及び第２メッセージが競合するか否かを判定する。分散電源システム６００は、優先順位に基づいて判定を行ってもよく、ｍａｒｋｅｔＣｏｎｔｅｘｔに基づいて判定を行ってもよい。ここでは、第１メッセージ及び第２メッセージが競合するケースについて説明を続ける。
【００５５】
ステップＳ１３において、分散電源システム６００は、第２メッセージに基づいて、分散電源３１０を制御する。分散電源システム６００は、第１メッセージに基づいて分散電源３１０の制御を開始していた場合には、第１メッセージに基づいた制御を取り消す。また、分散電源システム６００は、第１メッセージに基づいた制御が行われない旨を示す通知メッセージを電力管理サーバ２００に送信してもよい。このような処理は、第１メッセージに基づいた制御が第２メッセージに基づいた制御と同じである場合に省略されてもよい。一方で、分散電源システム６００は、第１メッセージに基づいて分散電源３１０の制御を開始していない場合には、第１メッセージに基づいた制御を行わずに、第２メッセージに基づいた制御を行う。
【００５６】
第２に、第２メッセージに基づいて分散電源３１０が制御されている時間帯を対象として、第１メッセージに基づいて分散電源３１０を制御するケースについて考える。
【００５７】
ステップＳ２０において、設備管理サーバ４００は、第２メッセージを分散電源システム６００に送信する。
【００５８】
ステップＳ２１において、電力管理サーバ２００は、第１メッセージを分散電源システム６００に送信する。
【００５９】
ステップＳ２２において、分散電源システム６００は、第１メッセージの受け付けを拒否する。例えば、分散電源システム６００は、第２メッセージが分散電源３１０の停止を指示するメッセージである場合に、分散電源３１０の起動が行われるまで第１メッセージの受け付けを拒否してもよい。ここで、分散電源３１０の起動は、メンテナンス業者によって手動で行われてもよく、分散電源３１０の運転再開を指示する第２メッセージの受信に応じて行われてもよい。
【００６０】
ステップＳ２３において、分散電源システム６００は、第１メッセージに基づいた制御が行われない旨を示す通知メッセージを電力管理サーバ２００に送信する。
【００６１】
ステップＳ２４において、分散電源システム６００は、第２メッセージに基づいて、分散電源３１０を制御する。
【００６２】
（作用及び効果）
実施形態では、分散電源システム６００は、第１メッセージ及び第２メッセージが競合した場合に、第１メッセージよりも優先して、第２メッセージに基づいて分散電源３１０を制御する。このような構成によれば、第１メッセージ及び第２メッセージの競合を適切に解決することができ、分散電源３１０を適切に制御することができる。
【００６３】
ここで、実施形態では、電力需給バランスよりもメンテナンスを優先すべきであるという新たな知見に基づいて、第１メッセージ及び第２メッセージの競合を解決するものである。実施形態において、第２メッセージに基づいて分散電源３１０が制御されているという前提で、メンテナンス業者が分散電源３１０の設置場所に行った場合に、このような前提が崩れることを抑制することができる。例えば、発電状態から停止状態への遷移時間が長い燃料電池装置を想定した場合に、メンテナンス業者が燃料電池装置の設置場所に行った際に、燃料電池装置が予定通りに停止していないといった不都合を回避することができる。
【００６４】
［その他の実施形態］
本開示は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６５】
実施形態では、第１メッセージ及び第２メッセージは、ＥＭＳ３３０に送信される。しかしながら、実施形態は、これに限定されるものではない。第１メッセージ及び第２メッセージは、分散電源３１０に直接的に送信されてもよい。このようなケースにおいて、ＥＭＳ３３０はルータとして機能してもよく、ＥＭＳ３３０は設けられていなくてもよい。
【００６６】
実施形態では、所定サーバ５００が設けられる。しかしながら、実施形態はこれに限定されるものではない。所定サーバ５００は設けられていなくてもよい。このようなケースにおいて、電力管理サーバ２００が第２メッセージを中継してもよく、設備管理サーバ４００が第１メッセージを中継してもよい。或いは、電力管理サーバ２００が直接的に分散電源システム６００に第１メッセージを送信し、設備管理サーバ４００が直接的に分散電源システム６００に第２メッセージを送信してもよい。
【００６７】
実施形態では、第１メッセージの通信プロトコルが第２メッセージの通信プロトコルと同じケースについて説明したが、実施形態はこれに限定されるものではない。第１メッセージの通信プロトコルが第２メッセージの通信プロトコルと異なっていてもよい。
【００６８】
実施形態では、データベース２１０が電力管理サーバ２００に設けられるが、実施形態はこれに限定されるものではない。例えば、データベース２１０は、ネットワークを介して電力管理サーバ２００と接続されるサーバに設けられてもよい。
【００６９】
実施形態では、データベース４１０が設備管理サーバ４００に設けられるが、実施形態はこれに限定されるものではない。例えば、データベース４１０は、ネットワークを介して設備管理サーバ４００と接続されるサーバに設けられてもよい。
【００７０】
実施形態では、第１プロトコルがＯｐｅｎ  ＡＤＲ２．０に準拠するプロトコルであり、第２プロトコルがＥＣＨＯＮＥＴ  Ｌｉｔｅに準拠するプロトコルであるケースについて例示した。しかしながら、実施形態はこれに限定されるものではない。第１プロトコルは、電力管理サーバ２００と所定サーバ５００との間の通信、設備管理サーバ４００と所定サーバ５００との間の通信、及び所定サーバ５００とＥＭＳ３３０との間の通信で用いるプロトコルとして規格化されたプロトコルであればよい。第２プロトコルは、施設３００で用いるプロトコルとして規格化されたプロトコルであればよい。
【００７１】
実施形態では、分散電源システム６００は、第１メッセージと、メンテナンスを開始するために分散電源３１０の運転停止を指示するメッセージを含む第２メッセージと、が競合した場合に、第１メッセージよりも優先して、第２メッセージに基づいて分散電源３１０を制御するものとして説明したが、これに限定されるものではない。第２のメッセージが分散電源３１０のメンテナンスの終了に伴って分散電源３１０の運転再開を指示するメッセージを含む場合には、第１のメッセージと第２のメッセージが競合していないとみなしてもよい。この場合、分散電源３１０のメンテナンスは既に終了しているため、分散電源システム６００は、分散電源３１０のメンテナンスの終了に伴う運転再開よりも電力需給バランスの維持のための分散電源３１０の運転停止を優先して、分散電源３１０を制御してもよい。また、このケースの場合、分散電源システム６００は、第２メッセージに基づいた制御が行われない旨を示す通知メッセージを設備管理サーバ４００に送信してもよい。
【００７２】
本願は、日本国特許出願第２０１８−１４０９３５号（２０１８年７月２７日出願）の優先権を主張し、その内容の全てが本願明細書に組み込まれている。
【図１】
2020022210.tif 000003
【図２】
2020022210.tif 000004
【図３】
2020022210.tif 000005
【図４】
2020022210.tif 000006
【図５】
2020022210.tif 000007
【図６】
2020022210.tif 000008
【図７】
2020022210.tif 000009
【図８】
2020022210.tif 000010
【手続補正書】
【提出日】令和3年1月26日(2021.1.26)
【手続補正１】
【補正対象書類名】明細書
【補正対象項目名】０００２
【補正方法】変更
【補正の内容】
【０００２】
近年、電力系統の電力需給バランスを維持するために、蓄電装置を分散電源として用いる技術（例えば、ＶＰＰ（Ｖｉｒｔｕａｌ  Ｐｏｗｅｒ  Ｐｌａｎｔ））が知られている（例えば、特許文献１）。さらには、ＶＰＰなどで用いる分散電源として、燃料電池システムを用いることも考えられる。
【手続補正２】
【補正対象書類名】明細書
【補正対象項目名】０００７
【補正方法】変更
【補正の内容】
【０００７】
図１は、実施形態に係る電力システム１００を示す図である。
図２は、実施形態に係る電力管理サーバ２００を示す図である。
図３は、実施形態に係る設備管理サーバ４００を示す図である。
図４は、実施形態に係る分散電源システム６００を示す図である。
図５は、実施形態に係る第１メッセージの一例を示す図である。
図６は、実施形態に係る第２メッセージの一例を示す図である。
図７は、実施形態に係る分散電源制御方法を示す図である。
図８は、実施形態に係る分散電源制御方法を示す図である。
【国際調査報告】
2020022210.tif 000011
2020022210.tif 000012